(57)【要約】      （修正有）【課題】雪の降り注ぐ様子を連続的に表現できる装飾装置に関し、特に、模造雪の循環使用及び飛散防止のためのカバーが室内空間に圧迫感・存在感を与えることがなく、また室外に使用することもできる室内外装飾装置を提供する。【解決手段】模造雪１４による降雪状態を表現するための、少なくとも前面が透明である中空の容器本体１２と、容器本体１２内の下部から上部へ模造雪１４を移送し、模造雪１４を容器本体１２内に落下させるための模造雪移送手段１６と、容器本体１２に取り付けられる装飾具１８とを含んで成り、装飾具１８によって、少なくとも容器本体１２の前面外周が覆われた室内外装飾装置１０である。【選択図】図１（ｂ）
0003118010.tif 000002
【実用新案登録請求の範囲】
【請求項１】
模造雪による降雪状態を表現するための、少なくとも前面が透明である中空の容器本体と、
前記容器本体内の下部から上部へ前記模造雪を移送し、前記模造雪を前記容器本体内に落下させるための模造雪移送手段と、
前記容器本体に取り付けられる装飾具と
を含んで成り、
前記装飾具によって、少なくとも前記容器本体の前面外周が覆われた室内外装飾装置。
【請求項２】
前記模造雪移送手段が、一端開口が前記容器本体の下部に位置し、他端開口が前記容器本体の上部に位置する管状部材と、該管状部材内の管路に前記一端開口から前記他端開口に向けて送風し、前記模造雪を前記他端開口から前記容器本体内へ噴出させるための送風機とで構成され、
前記装飾具によって、前記送風機又は前記模造雪移送手段が覆われた請求項１に記載の室内外装飾装置。
【請求項３】
前記管状部材が前記容器本体外に配設され、前記一端開口及び前記他端開口によって、前記容器本体内と前記管路が導通している請求項２に記載の室内外装飾装置。
【請求項４】
前記他端開口に近接して前記容器本体内に、前記他端開口から噴出される前記模造雪を前記容器本体内に拡散させる案内板を設置した請求項１乃至３の何れかに記載の室内外装飾装置。
【請求項５】
前記模造雪移送手段が、前記容器本体内に回転可能に設置される回転ホイールと、該回転ホイールを回転駆動させる駆動装置とで構成され、
前記回転ホイールの周縁部に、前記回転ホイール中心の回転軸から回転方向に傾斜した模造雪受板が間隔をおいて複数周設され、
前記模造雪受板によって、前記模造雪が前記容器本体内の下部から上部へ移送される請求項１に記載の室内外装飾装置。
【請求項６】
隣接する前記模造雪受板が異なる傾斜角をもって設置されている請求項５に記載の室内外装飾装置。
【請求項７】
前記容器本体内の上部に、前記模造雪受板から落下する前記模造雪を、前記容器本体内に拡散させる案内板を設置した請求項５又は請求項６に記載の室内外装飾装置。
【考案の詳細な説明】
【技術分野】
【０００１】
本考案は、室内外に設置する装飾装置に関する。
【背景技術】
【０００２】
従来、樹や雪だるま等に雪が降り注いでいる状態を表現して室内の装飾効果を高めることのできる室内装飾装置が、家庭や店舗等で使用されている。これらの室内装飾装置では、主に発泡プラスチックの粒体を模造雪とし、この模造雪を模造樹や模造雪だるま等の上方から散布することにより雪の降り注ぐ様子を表現している。
【０００３】
この種の室内装飾装置については多数開示されており、本考案者も、模造雪を効率的に循環使用することのできる室内装飾装置、更には、模造雪の噴出効率を向上した室内装飾装置を提案している（例えば、特許文献１及び特許文献２参照。）。
【特許文献１】実用新案登録第２５７８０２２号公報（請求項１、図１）
【特許文献２】特開２００３−５４１９９号公報（請求項１、図１）
【考案の開示】
【考案が解決しようとする課題】
【０００４】
これらの室内装飾装置において、模造雪を循環使用し、且つ模造雪の飛散を防止するためには、模造樹や模造雪だるま等をカバーで覆う必要があり、模造樹等を外部から視認できる透明カバーが室内装飾装置には必須となる。しかし、このカバーによって空間が仕切られ、室内装飾装置が室内空間に圧迫感を与えることは避けられない。カバーが幾ら透明であるとは言っても、圧迫感が軽減されるのみで、透明カバーによって空間が仕切られ、多少なりとも室内空間に圧迫感を与えることに代わりはない。
【０００５】
また、従来の室内装飾装置は何れも据置タイプであったため、室内装飾装置を載置するスペースの確保が必要になると共に、上述したような室内空間への影響も避けられない。
【０００６】
そこで本考案者は、雪の降り注ぐ様子を連続的に表現できる装飾装置に関し、特に、模造雪の循環使用及び飛散防止のためのカバーが室内空間に圧迫感・存在感を与えることがなく、また室外に使用することもできる室内外装飾装置を提供するべく鋭意検討を重ねた結果、本考案に至ったのである。
【課題を解決するための手段】
【０００７】
即ち、本考案の室内外装飾装置の要旨とするところは、模造雪による降雪状態を表現するための、少なくとも前面が透明である中空の容器本体と、前記容器本体内の下部から上部へ前記模造雪を移送し、前記模造雪を前記容器本体内に落下させるための模造雪移送手段と、前記容器本体に取り付けられる装飾具とを含んで成り、前記装飾具によって、少なくとも前記容器本体の前面外周が覆われたことである。
【０００８】
かかる室内外装飾装置において、特に、前記模造雪移送手段が、一端開口が前記容器本体の下部に位置し、他端開口が前記容器本体の上部に位置する管状部材と、該管状部材内の管路に前記一端開口から前記他端開口に向けて送風し、前記模造雪を前記他端開口から前記容器本体内へ噴出させるための送風機とで構成され、前記装飾具によって、前記送風機又は前記模造雪移送手段が覆われることにある。
【０００９】
かかる室内外装飾装置において、特に、前記管状部材が前記容器本体外に配設され、前記一端開口及び前記他端開口によって、前記容器本体内と前記管路が導通していることにある。
【００１０】
かかる室内外装飾装置において、更に、前記他端開口に近接して前記容器本体内には、前記他端開口から噴出される前記模造雪を前記容器本体内に拡散させる案内板が設置されたことにある。
【００１１】
また、かかる室内外装飾装置において、前記模造雪移送手段が、前記容器本体内に回転可能に設置される回転ホイールと、該回転ホイールを回転駆動させる駆動装置とで構成され、前記回転ホイールの周縁部に、前記回転ホイール中心の回転軸から回転方向に傾斜した模造雪受板が間隔をおいて複数周設され、前記模造雪受板によって、前記模造雪が前記容器本体内の下部から上部へ移送されることにある。
【００１２】
かかる室内外装飾装置において、特に、隣接する前記模造雪受板が異なる傾斜角をもって設置されていることである。
【００１３】
かかる室内外装飾装置において、更に、前記容器本体内の上部に、前記模造雪受板から落下する前記模造雪を、前記容器本体内に拡散させる案内板を設置したことである。
【考案の効果】
【００１４】
本考案の室内外装飾装置によると、降雪状態を連続的に表現できると共に、本考案に係る容器本体には装飾具が取り付けられているため、室内空間に圧迫感・存在感を必要以上に与えることがない。
【００１５】
また、本考案の室内外装飾装置を壁掛け式とすることによって、装置自体の載置スペースを確保する必要もない。
【００１６】
更に、本考案によると、従来のクリスマスリース等の壁掛け式装飾具に降雪状態を表現できるという新たな機能を付加することができ、室内外の装飾効果を一層高めることができる。
【考案を実施するための最良の形態】
【００１７】
以下、本考案の室内外装飾装置の実施形態について、図面に基づいて詳しく説明する。
【００１８】
図１（ａ）〜図１（ｃ）に、本考案の室内外装飾装置の一実施形態として、クリスマスリース等のリース装置（室内外装飾装置１０）を示す。この室内外装飾装置１０は、略円筒形状の容器本体１２と、容器本体１２内に入れられた発泡樹脂製の模造雪１４と、この模造雪１４を容器本体１２内の下部から上部へ移送するための模造雪移送手段１６と、容器本体１２に取り付けられた装飾具１８とから構成されている。なお、模造雪１４としては、発泡スチロールのような発泡樹脂の粉末が好ましいが、例えば金属箔等のように、風に舞う程に軽量なものであれば特に限定されない。
【００１９】
容器本体１２は、模造雪１４による降雪状態を表現するための空間Ｓを備えた、略円筒形状の透明中空容器である。なお、容器本体１２の材質については、容器本体１２の外部から、容器本体１２内に表現される降雪状態を視認することができるものであれば、樹脂やガラス等、何れであってもよく、特に限定されない。また、容器本体１２はその全てが透明である必要はなく、少なくとも前面３１、即ち、降雪状態が視認される方向の面が透明であれば、他の面は不透明であってもよい。
【００２０】
模造雪移送手段１６は、容器本体１２内に配設された管状部材２０と、管状部材２０内の管路２１に送風するための送風機２４とから構成されている。管状部材２０は、容器本体１２内の中央部に、管状部材２０の一端開口２２が容器本体１２内の下部に位置し、他端開口２３が容器本体１２内の上部に位置するように、支持棒２６によって垂直に支持され、更に一端開口２２が、容器本体１２の最低部に設けられた噴出口２８の上部に浮かされた状態で固定されている。送風機２４は、ファン３０を回転させることにより噴出口２８から管路２１へ送風することができるように、噴出口２８の下方に設置されている。
【００２１】
装飾具１８は、少なくとも容器本体１２の前面外周３２を覆って取り付けられる装飾具であり、室内外装飾装置１０を正面から見たときに、少なくとも容器本体１２の前面外周３２を視認することができないようにすると共に、容器本体１２の装飾効果を兼ね備えたものである。本実施形態においては、リース（花輪）を装飾具１８として採用し、容器本体１２の前面外周３２を含む側面全体及び送風機２４を覆って取り付けられている。
【００２２】
以上の構成から成る室内外装飾装置１０は、まず送風機２４を稼働させることにより、噴出口２８から容器本体１２内に送風される。一方、容器本体１２内に入れられた模造雪１４は、噴出口２８に設置された網状部材３４の上に溜められており、噴出口２８から管状部材２０内の管路２１に送り込まれた風によって、模造雪１４は管路２１を上方へと吹き上げられ、管状部材２０の他端開口２３から容器本体１２内へ噴出される。この噴出された模造雪１４は、他端開口２３上方の容器本体１２に打ち当たって容器本体１２内に拡散され、容器本体１２内を落下することによって降雪状態が表現される。容器本体１２内を落下した模造雪１４は、その殆どが容器本体１２の内周面を噴出口２８に向かって転がり、容器本体１２の前面３１及び背面３３の内側に沿って落下した模造雪１４の一部が、前面３１内側及び背面３３内側の各々から噴出口２８に向かって斜め下方に傾斜して設けられた傾斜板３６を転がり、最終的に噴出口２８に設置された網状部材３４の上に再び溜められる。そして、この網状部材３４上に再び溜められた模造雪１４は、再び噴出口２８からの送風によって管路２１を上方へと吹き上げられ、他端開口２３から噴出される。このように、模造雪１４を容器本体１２内で循環させることによって、容器本体１２内に降雪状態が連続的に表現される。
【００２３】
本実施形態に係る室内外装飾装置１０によると、容器本体１２内に降雪状態を連続的に表現できると共に、容器本体１２の前面外周３２を覆うようにして装飾具１８が取り付けられているため、容器本体１２の外周縁によって室内空間が直接仕切られることがなく、また、容器本体１２の存在感を消すこともできる。従って、降雪状態を表現するための室内外装飾装置１０が、容器本体１２によって必要以上に室内空間に圧迫感・存在感を与えることがない。
【００２４】
また、室内外装飾装置１０の背面３３側に係着具（不図示）を設けて室内の壁面や扉、窓等に引っ掛けたり、或いは室内の壁面等に予め設けられたフック等に室内外装飾装置１０を引っ掛けたりして、室内外装飾装置１０を壁掛け式とすることによって、装置自体の載置スペースを確保する必要もない。
【００２５】
更に、室内外装飾装置１０によると、従来のクリスマスリース等の壁掛け式の装飾具に降雪状態を表現できるという新たな機能が付加されるため、室内外の装飾効果を一層高めることができる。
【００２６】
また更に、図１（ｃ）において、容器本体１２の前面外周３２のみならず、背面外周３８をも覆うように装飾具１８を取り付けることによって、室内外装飾装置１０の背面側においても容器本体１２の外周縁部を隠すことができ、背面側から見ても容器本体１２の存在感を消すことができる。そして、例えば室内から窓ガラスに室内外装飾装置１０を取り付けた場合、室内からはもちろん、室外からも室内外装飾装置１０によって表現される降雪状態を視認することができ、特に、店舗用ディスプレイとしてショーウィンドウ等に好適に使用し得る。
【００２７】
なお、本実施形態に係る管状部材２０は透明・不透明を問わないが、例えば、管状部材２０を透明部材とすれば、容器本体１２内に降雪状態が表現されると共に、容器本体１２内の中央部に模造雪１４の上昇による一本の柱状物が表現され、管状部材２０の外周面に模造枝を設ければ、管状部材２０を雪化粧された樹のように表現することができる。
【００２８】
また、管状部材２０の設置位置も図１（ａ）〜図１（ｃ）に示した容器本体１２内の中央部に限定されず、例えば図２に示す室内外装飾装置１０ａのように、容器本体１２内の背面３３側に接して管状部材２０が設置されてもよい。本実施形態によると、管状部材２０を容器本体１２の背面３３側に直接固定できるため、図１（ｂ）に示したように、管状部材２０を支持棒２６で支持固定する必要がなく、また、容器本体１２内を広範に利用して奥行きのある降雪状態を表現できる。更に、容器本体１２と管状部材２０を同色で彩色することによって、管状部材２０を目立たなくすることもできる。
【００２９】
以上、本実施形態に係る室内外装飾装置１０、１０ａについて詳述したが、本考案の室内外装飾装置は上記の形態に限定されず、その他の形態でも実施し得るものである。
【００３０】
本考案の他の実施形態として、図３（ａ）に示す室内外装飾装置１０ｂは、基本的には図１（ａ）〜図１（ｃ）に示した室内外装飾装置１０と同様の構成であるが、容器本体１２内の上部に、管状部材２０の他端開口２３に近接して、案内板４０を備えている。案内板４０は、模造雪１４が通過可能な複数の孔４２を備えた板状部材（図３（ｂ）参照）であって、他端開口２３から容器本体１２の周縁方向に向かって斜め下方向に傾斜して設けられている。すなわち、管路２１を上方へ吹き上げられた模造雪１４が、他端開口２３から容器本体１２内へ噴出されて容器本体１２内を落下する際、この噴出された模造雪１４を一旦案内板４０で受け、案内板４０上を転がしながら順次、孔４２から下方へ落下させることによって、模造雪１４を強制的に拡散することができ、より均等に容器本体１２内に降雪状態を表現することができる。
【００３１】
なお、案内板４０の設置方法は特に限定されず、容器本体１２内の前面３１及び／又は背面３３に固定して設置してもよく、或いは支持棒２６で案内板４０を支持することにより容器本体１２の内面から離した状態で設置してもよい。但し、案内板４０を転がった模造雪１４が案内板４０の下方縁部４４と容器本体１２との間に溜まることがないように、少なくともこの間には隙間４６を設けておく必要がある。また、案内板４０が備える孔４２の形状も特に限定されないが、例えば図３（ｃ）に示す孔４２ａのように、案内板４０の上面側の径を大きくすることによって、案内板４０上を転がる模造雪１４を積極的に孔４２ａに導くことができる。更に、例えば同図（ｄ）に示すように、案内板４０上面側における孔４２の下流側に突起部４８を設けることによっても、案内板４０上を転がる模造雪１４を積極的に孔４２に導くことができる。
【００３２】
図４（ａ）〜（ｃ）に、本考案の室内外装飾装置の更に他の実施形態を示す。同図に示す室内外装飾装置１０ｃも、容器本体１２と、容器本体１２に入れられた模造雪１４と、管状部材２０及び送風機２４で構成される模造雪移送手段１６と、容器本体１２の前面外周３２を覆って取り付けられた装飾具１８とから構成されている。本実施形態に係る管状部材２０は、容器本体１２の背面３３側中央部に垂直に設置されており、管状部材２０の一端開口２２は容器本体１２の最低部に位置し、他端開口２３は、容器本体１２の背面３３の最上部に位置している。更に、他端開口２３に近接して、容器本体１２の背面３３から前面３１に向かって、容器本体１２の左右方向に各々湾曲された２枚の案内板４０ａが設置されている。
【００３３】
以上の構成から成る室内外装飾装置１０ｃは、容器本体１２内に入れられた模造雪１４が、容器本体１２の最低部に位置する管状部材２０の一端開口２２から管状部材２０の管路２１の下方に溜められる。そして、送風機２４を稼働させることにより、管路２１に形成された噴出口２８から管状部材２０内に送風され、模造雪１４は管路２１の下方から上方へと吹き上げられる。この吹き上げられた模造雪１４は、管状部材２０の他端開口２３から容器本体１２内へ噴出される。更に、噴出された模造雪１４は、その一部が他端開口２３正面の容器本体１２の前面３１内側に打ち当たって容器本体１２内を落下し、その他の模造雪１４は案内板４０ａによって容器本体１２内の左右方向に強制的に分散された後、容器本体１２内を落下する。容器本体１２内を落下した模造雪１４は、その殆どが容器本体１２の内周面を一端開口２２に向かって転がり、容器本体１２の前面３１内側に沿って落下した模造雪１４の一部が、前面３１内側から噴出口２８に向かって斜め下方に傾斜して設けられた傾斜板３６を転がり、最終的に管路２１の下方に再び溜められる。そして、この管路２１の下方に再び溜められた模造雪１４は、再び噴出口２８からの送風によって管路２１の上方へと吹き上げられ、他端開口２３から噴出される。このように、模造雪１４を容器本体１２内で循環させることによって、容器本体１２内に降雪状態が連続的に表現される。
【００３４】
本実施形態に係る室内外装飾装置１０ｃによると、容器本体１２内に降雪状態を連続的に表現できると共に、管状部材２０を容器本体１２の背面３３側に設置することによって、模造雪１４により降雪状態を表現するための空間Ｓを、より広く確保することができる。
【００３５】
また、本実施形態に係る容器本体１２の背面３３及び管状部材２０は透明・不透明を問わないが、例えば、背面３３を不透明とすることによって、室内外装飾装置１０ｃの前面３１側からは管状部材２０を視認できないようにすることができる。
【００３６】
なお、上記の実施形態に係る管状部材２０の他端開口２３の位置については、容器本体１２の背面３３側に限定されず、例えば、図５に示す室内外装飾装置１０ｄのように、他端開口２３を容器本体１２の最上部に位置させてもよい。但し、この実施形態においては、容器本体１２内の上方から真下に模造雪１４が噴出されるため、他端開口２３に近接して、案内板４０ｂを設置することが好ましい。案内板４０ｂは、模造雪１４が通過可能な複数の孔４２を備えた断面への字状板部材（同図（ｂ）参照）であって、他端開口２３の直下から容器本体１２の周縁方向に向かって左右斜め下方向に傾斜して設けられている。すなわち、管路２１を上方へ吹き上げられた模造雪１４が、他端開口２３から容器本体１２内へ噴出されて空間Ｓを落下する際、この噴出された模造雪１４を一旦案内板４０ｂで受け、案内板４０ｂ上を転がしながら順次、孔４２から下方へ落下させることによって、模造雪１４を強制的に拡散することができ、より均等に容器本体１２内に降雪状態を表現することができる。また、案内板４０ｂには他端開口２３から噴出する風を遮る効果もあり、容器本体１２内を落下する模造雪１４への風の影響を最小限に食い止めることができる。
【００３７】
なお、案内板４０ｂの断面形状は同図（ｂ）に示したへの字状に限定されず、弓形のような断面形状の案内板であってもよい。また、案内板４０ｂが備える孔４２の態様として、図３（ｃ）及び（ｄ）に示した態様を採用することもできる。
【００３８】
以上、本考案の室内外装飾装置に係る種々の実施形態について説明したが、本考案の室内外装飾装置に係る管状部材２０は、容器本体１２に垂直に設置される態様に限定されない。例えば、図６に示す室内外装飾装置１０ｅのように、模造雪移送手段１６に係る管状部材２０を、略円筒形状の容器本体１２の側面外周に沿って設置してもよい。このように管状部材２０を設置することによって、管状部材２０が容器本体１２の前面３１及び背面３３側に突出することがなく、また、リースのような装飾具１８により、模造雪移送手段１６を含む容器本体１２の外周を容易に覆うことができる。
【００３９】
更に、容器本体１２の形状も略円筒形状に限定されず、正面視断面形状が楕円形、多角形等何れであってもよく、また、装飾具１８についても、リースに限定されず、容器本体１２の外形や室内外装飾装置が飾られる室内空間の雰囲気等に合わせて、種々の態様の装飾具１８を採用することができる。
【００４０】
例えば、図７（ａ）に示す室内外装飾装置１０ｆでは、窓枠を模した装飾具１８ａ（模造窓枠）が中空の容器本体１２ａに取り付けられている。容器本体１２ａは、図７（ｂ）に示すように、略直方体形状であって、且つ上面が上方に凸に湾曲した外形を成している。即ち、容器本体１２ａと装飾具１８ａの各々の形状及び態様は、その何れか一方の形状等に合わせて他方の形状等を任意に採用することができる。そして、図７（ａ）及び図７（ｂ）に示す実施形態によると、この室内外装飾装置１０ｆを室内の壁面に飾ることによって、窓のなかった壁に窓があるかのような演出効果を発揮できる。更に、容器本体１２ａ内の背面側に風景を表示しておくことによって、その模造窓（室内外装飾装置１０ｆ）から見た窓外の景色に、雪の降る様子を表現することができる。
【００４１】
なお、室内外装飾装置１０ｆでは、容器本体１２ａ内の中央部に配置された管状部材２０が、窓枠を模した装飾具１８ａの一部（桟）によって隠されているため、室内外装飾装置１０ｆの前面からは管状部材２０が視認できないようになっている。しかし、管状部材２０を、上述した室内外装飾装置１０ｃ〜１０ｅのような態様で設置することによって、桟のない窓枠を模した装飾具（模造窓枠）を採用することもできる。
【００４２】
以上に説明した本考案の室内外装飾装置では、各実施形態に係る模造雪移送手段が何れも管状部材と送風機とから構成されているが、本考案に係る模造雪移送手段はこれに限定されず、その他の構成による模造雪の移送も可能である。
【００４３】
例えば、図８に示す室内外装飾装置１０ｇは、略円筒形状の中空の容器本体１２と、模造雪移送手段１６ａと、容器本体１２に取り付けられた装飾具１８とから構成されている。
【００４４】
ここで、模造雪移送手段１６ａは、容器本体１２内に回転可能に設置される回転ホイール５０と、この回転ホイール５０を回転駆動するための電動モータ等の駆動装置５１から構成されている。回転ホイール５０は容器本体１２と略同形状の中空の円筒形状をなし、その側面内周（周縁部）には、回転ホイール５０中心の回転軸５３から回転方向に傾斜した模造雪受板５２が所定の間隔をおいて複数周設されている。更に、本実施形態に係るこの模造雪受板５２は、隣接する模造雪受板５２が異なる傾斜角をもって設置されている。
【００４５】
このような模造雪移送手段１６ａを備えた室内外装飾装置１０ｇは、容器本体１２内に設置された回転ホイール５０内に模造雪１４が入れられ、回転ホイール５０内の下部に溜められる。回転ホイール５０の背面側に突出した回転軸５３を電動モータ（駆動装置５１）によって回転させると、回転ホイール５０の下部に溜められていた模造雪１４は、模造雪受板５２によって順次、回転ホイール５０の上方、つまり容器本体１２内の上方へと運ばれる。この上方に運ばれた模造雪１４は、まず傾斜角の大きい模造雪受板５２ａによって運ばれた模造雪１４から落下し始め、回転ホイール５０の回転が進むにつれて、傾斜角の小さい模造雪受板５２ｂによって運ばれた模造雪１４も落下し始める。この落下した模造雪１４は再び回転ホイール５０の下部に溜められ、模造雪受板５２によって再び容器本体１２の上方へと運ばれる。このようにして、模造雪１４を容器本体１２内の回転ホイール５０で循環させることによって、容器本体１２内における回転ホイール５０内に降雪状態が連続的に表現される。
【００４６】
模造雪移送手段１６ａを備えた室内外装飾装置の他の実施形態としては、図９に示す室内外装飾装置１０ｈのように、模造雪受板５２の傾斜角は同一であるが、容器本体１２内の上方に、模造雪受板５２から落下する模造雪１４を容器本体１２内に分散させる案内板４０ｃを設置した態様であってもよい。案内板４０ｃには複数の孔４２が形成されており、模造雪受板５２から落下した模造雪１４は、傾斜した案内板４０ｃ上を転がりながら順次、孔４２から容器本体１２内に落下して降雪状態が表現される。なお、案内板４０ｃは容器本体１２内に固定される必要があるため、例えば同図（ｂ）に示すように、容器本体１２内に設置される回転ホイール５０ａの横断面形状をＣ字形状、或いはコの字形状とすることによって、容器本体１２内の前面３１内側に設置された案内板４０ｃと緩衝することがない。
【００４７】
また、模造雪移送手段１６ａに係る回転ホイール５０、５０ａを回転駆動させる方法としては、上記の態様に限定されず、例えば、回転ホイールの外周に歯車を形成し、電動モータによってピニオンを回転させることによって、回転ホイールを回転させる態様であってもよい。
【００４８】
以上、本考案の室内外装飾装置について説明したが、本考案はその趣旨を逸脱しない範囲で、当業者の知識に基づき種々の改良、修正、変形を加えた態様で実施し得るものである。
【図面の簡単な説明】
【００４９】
【図１（ａ）】本考案の室内外装飾装置の実施形態を示す正面図である。
【図１（ｂ）】図１（ａ）に示した室内外装飾装置の正面視中央部端面図である。
【図１（ｃ）】図１（ａ）に示した室内外装飾装置の側面視中央部端面図である。
【図２】本考案の室内外装飾装置の他の実施形態を示す側面視中央部端面図である。
【図３】（ａ）は本考案の室内外装飾装置の他の実施形態を示す正面視中央部端面図、（ｂ）は（ａ）に示した案内板の平面図、（ｃ）及び（ｄ）は案内板の他の実施形態を示す断面図である。
【図４】（ａ）は本考案の室内外装飾装置の他の実施形態を示す側面視中央部端面図、（ｂ）は（ａ）におけるＡ−Ａ部分断面図、（ｃ）は（ｂ）におけるＢ−Ｂ断面図である。
【図５】（ａ）は本考案の室内外装飾装置の他の実施形態を示す側面視中央部端面図、（ｂ）は（ａ）におけるＣ−Ｃ部分断面図（案内板省略）である。
【図６】本考案の室内外装飾装置の他の実施形態を示す正面視中央部端面図である。
【図７（ａ）】本考案の室内外装飾装置の他の実施形態を示す正面図である。
【図７（ｂ）】図７（ａ）に示した室内外装飾装置の正面視中央部端面図である。
【図８】（ａ）は本考案の室内外装飾装置の他の実施形態を示す正面視中央部端面図、（ｂ）は（ａ）におけるＤ−Ｄ端面図（模造雪受板省略）である。
【図９】（ａ）は本考案の室内外装飾装置の他の実施形態を示す正面視中央部端面図、（ｂ）は（ａ）におけるＥ−Ｅ端面図（模造雪受板及び案内板省略）である。
【符号の説明】
【００５０】
１０、１０ａ〜１０ｈ：室内外装飾装置
１２、１２ａ：容器本体
１４：模造雪
１６、１６ａ：模造雪移送手段
１８、１８ａ：装飾具
２０：管状部材
２１：管路
２２：一端開口
２３：他端開口
２４：送風機
３２：前面外周
４０、４０ａ〜４０ｃ：案内板
５０、５０ａ：回転ホイール
５１：駆動装置
５２：模造雪受板
【図１（ａ）】
0003118010.tif 000003
【図１（ｂ）】
0003118010.tif 000004
【図１（ｃ）】
0003118010.tif 000005
【図２】
0003118010.tif 000006
【図３】
0003118010.tif 000007
【図４】
0003118010.tif 000008
【図５】
0003118010.tif 000009
【図６】
0003118010.tif 000010
【図７（ａ）】
0003118010.tif 000011
【図７（ｂ）】
0003118010.tif 000012
【図８】
0003118010.tif 000013
【図９】
0003118010.tif 000014